(57)【要約】【課題】組立作業前の各部品がスペースを取らず、耐圧強度が大きいスーツケース構造を提供する。【解決手段】２個の対称形状の側面ケース板２０，２１及びソフトプラスチック棒片２４、上、下ケース板２５，２６、補強棒２７、伸縮プルドライブハンドル２８により構成する。硬質プラスチックからなる側面ケース板は外周側面角部を覆う背面延長片２２を形成することによってスーツケース外周側部を補強し、広い面積を占める背面側を覆う布は、ソフトプラスチックと重ねて背面縁長片とミシン縫いすることによって補強される。【選択図】  図２
0003127164.tif 000002
【実用新案登録請求の範囲】
【請求項１】
スーツケース箱体を、２個の対称形状の側面ケース板、２個の対称形状のソフトプラスチック棒片、上ケース板、下ケース板、補強棒により構成し、
該側面ケース板は、硬質プラスチック製とし、スーツケース外周側縁に沿ってスーツケース背面側に延長する背面延長片を形成すると共に、該背面延長片の周縁を該周縁にミシン縫いにより結合する上下ケース板や該凹部に縫い合わせるソフトプラスチック及び布に合わせた凹部に形成し、
該上、下ケース板は、硬質プラスチック製とし、
該２個のソフトプラスチック棒片は、上記側面ケース板の背面延長片の外周形状に合わせた形状として該両側のケース板の上記凹部に配置し、その上から上記上ケース板、布層を重ね、また上記下ケース板は該布層上より重ねてこれらをミシン縫いにより一体とし、
伸縮プルドライブハンドルを該上、下ケース板間に配置し、スチール製補強棒をスチール製のスーツケース開口形状の枠に成形して、上記の一体化したスーツケースの開口部を形成する両側のケース板、上、下ケース板に対してファスナー布片と合わせてミシン縫いにより結合したことを特徴とする、
組合せ構造からなるスーツケース。
【請求項２】
前記両側のケース板の外側面には側面凹部を形成して布層を設けたことを特徴とする請求項１記載の組合せ構造からなるスーツケース。
【考案の詳細な説明】
【技術分野】
【０００１】
本考案は、スーツケース組合せ構造に関する。特に、２個の対称形状の側面ケース板及び上ケース板、下ケース板により構成し、側面ケース板は一体成型の背面延長片を具え、スーツケースの実用機能を強化できるスーツケース組合せ構造に係る。
【背景技術】
【０００２】
公知のスーツケースには様々なタイプのものがあるが、その主要な構造は図１に示すように、箱体10により構成される。該箱体10は、長方形状のプラスチック板枠を設けて、背面側に伸縮プルドライブハンドル13を装置し、一対の成形布14で該プラスチック板枠11を覆ってミシン縫いにより一体とし、底部にはキャスター12を装着し、外面布14片側にはファスナー16を具えた箱蓋15を接続する。
しかし、上記構造には以下のような欠点が存在する。
(1)プラスチック板枠11は、組立て作業に入るまで作業ラインの前にストックされているが、その立体形状のために上、下に積重ねておかなければならず、スペースを必要とし、工場内のスペース利用上非効率である。
(2)該プラスチック板枠11を設けたスーツケースの左右側辺、上下面は外からの衝撃に対して耐久力があるが、背面には保護作用がないため、角位置には衝撃による損傷、変形が起き易く、またその耐圧強度は充分ではない。
(3)全体が布層1１により包覆されるため、外観・デザインの変化に乏しく、斬新さや目新しさに欠ける。
【特許文献１】特開平１１−２７６２２８号公報
【特許文献２】特表平０８−５０７９５３号公報
【考案の開示】
【考案が解決しようとする課題】
【０００３】
公知構造には以下の欠点があった。
すなわち、未完成時には、組立作業前には部品としてのプラスチック板枠が固定立体形状であるため、相互に嵌合できず、上、下に積重ねる必要があるため、体積が大きくなり工場内の空間を占拠してしまう。さらにプラスチック板枠を設置する左右側辺、上下面は背面に強化作用がないため、角位置に衝撃による損壊、変形の問題が起き易く、またその耐圧力強度は劣る。また全部が布層により包覆されるため、外観デザインの変化に乏しく、新鮮さと新奇さを具えない。
本考案は上記構造の問題点を解決したスーツケース組合せ構造を提供するものである。
【課題を解決するための手段】
【０００４】
上記課題を解決するため、本考案は下記のスーツケース組合せ構造を提供する。
それは図２、３に示すように、箱体 200は２個の対称形状の側面ケース板20、21、２個の対称形状のソフトプラスチック棒片24、上ケース板25、下ケース板26、補強棒27により構成し、
該両側のケース板20、21は硬質プラスチックにより製造し、その背面には一体成型の背面延長片22を設置し、該背面延長片22の内側辺には凹部 220を形成し、その底端外角部にはキャスター23を装着し、
該上、下ケース板25、26は硬質プラスチックにより製造し、該２個のソフトプラスチック棒片24は両側のケース板20、21の凹部 220に配置し、該上ケース板25は該ソフトプラスチック棒片24上を圧迫し、さらに布29層により該上ケース体25及び該ソフトプラスチック棒片24を覆い、該下ケース板26は該布29層上を圧迫し、最後にミシン縫いにより一体に結合し、両側のケース板20、21、２個のソフトプラスチック棒片24、上ケース板25、下ケース板26、布29を結合し一体を呈し、該上、下ケース板25、26間にはさらに伸縮プルドライブハンドル28を装置し、該伸縮プルドライブハンドル28により再度該上、下ケース板25、26を一体に連結し、
該補強棒27の枠は両側のケース板20、21、上ケース板25、下ケース板26の周縁に結合し、ファスナー31の布片に包覆し、該両側のケース板20、21、上ケース板25、下ケース板26とミシン縫いにより一体に結合することを特徴とするスーツケース組合せ構造である。
【考案の効果】
【０００５】
上記のように、本考案は、スーツケースとして組立てられる前の部品の状態において、多数の各ケース板などの部品が部品ごとに積み重ねておくことにより、工場内のスペースに有効利用が達成される。また、最終工程のミシン縫いを経て完成品となると、上、下、左、右、背面の両辺すべてに耐圧強度が大きく、衝突による損壊を防止し、軽量という長所を形成することができる。さらに、スチールワイヤーを設けた補強棒により各ケース板を連結して耐圧強度を強化し、変形しにくい構造を達成し、ソフトプラスチック棒片を設置して側ケース体、布を連結し、ミシン縫い位置の耐圧強度と美化を強化する効果を具える。
【考案を実施するための最良の形態】
【０００６】
本考案のミシン縫い結合は、図３のＡ−Ａ位置における断面図に示すように、該布29、該ソフトプラスチック棒片24、該側面ケース板25、26を重ね合わせてミシン縫いにより結合する。続いて裏返すため、ミシン縫いの線は裏返された布面により覆い隠され、ミシン縫い線のない外観を形成し、該ソフトプラスチック棒片24の片側に美観効果を持たせることができる。
該ファスナー31の反対側は、ミシン縫いにより箱蓋30を結合する。
本考案の両側のケース板20、21、上ケース板25、下ケース板26はABSプラスチックを採用するため、その硬度、弾性度は大きく、破損しにくい性質を得ることができる。しかも、該補強棒27には細鋼棒（スチールワイヤー）を採用するため、耐圧強度が大きく、断裂しにくい効果を達成することができる。
(1)両側、上面、底面に耐圧力強度が大きい両側のケース板20、21及び上、下ケース板25、26を設置し、上面、底面、両側面は衝撃を受けても破裂しにくい機能を形成する。
(2)両側のケース板20、21には一体の背面延長片22を設置し、背面及び側角補強の効果を形成し、これにより側角に衝撃を受けた時の破裂の恐れを払拭し、耐圧力強度を増強し、変形しにくい機能を達成する。
(3)補強棒27構造を両側のケース板20、21及び上、下ケース板25、26に設置し、全体の耐圧力強度を強化し、変形しにくい機能を達成する。
(4)２個のソフトプラスチック棒片24を設置しミシン縫いにより一体とし、外観の線の美感を増進する他、該ソフトプラスチック棒片24はまた両側のケース板20、21の耐圧力強度を補強し、破裂しにくい効果を達成する。
(5)側面ケース板20、21は露出部分と布29層とに分けられ、デザイン変化効果を呈示し、単純の全布層である公知構造に比べ外観はより新鮮かつ新奇で、高い美観効果を形成する。
(6)図２に示すように、各部品は分散しているため、未組合せ時には、数量が極めて多くても、該各側面ケース板20、21、上ケース板25、下ケース板26をそれぞれ積重ねることができ、体積を縮小し、工場の空間を節減する機能を具える。
(7)各側面ケース板20、21及び上、下ケース板25、26は異なる色の材料により製造することができ、多樣な色彩変化の効果を得ることができる。
また、上記技術手段において、本考案はまた図４及びその（ａ）図が示す実施形態のように、両側のケース板20、21の外側面に側面凹部 201を設けて該側面凹部201中には布29層を配置し、デザイン変化及び重量軽減の効果を達成することができる。さらに図５に示す実施型態のように、該両側のケース板20、21の背面延長片22と該布29層は任意の形状に形成して、異なるデザイン効果を形成することができる。
【図面の簡単な説明】
【０００７】
【図１】公知構造の立体分解図である。
【図２】本考案の立体分解図である。
【図３】本考案に布層を加える組合せ立体外観及びＡ−Ａ位置における断面図である。
【図４】本考案のデザイン実施例及び（ａ）その内の片側板の立体図である。
【図５】本考案の他の４種のデザイン実施例立体図である。
【符号の説明】
【０００８】
10、200箱体
15、30  箱蓋
220  凹部
11  プラスチック板枠
16、31  ファスナー
24  ソフトプラスチック棒片
12、23  キャスター
20、21  側面ケース板
25  上ケース板
13、28  伸縮プルドライブハンドル
201  側面凹部
26  下ケース板
14、29  布
22背面延長片
27  補強棒
【図１】
0003127164.tif 000003
【図２】
0003127164.tif 000004
【図３】
0003127164.tif 000005
【図４】
0003127164.tif 000006
【図５】
0003127164.tif 000007